(57)【要約】      （修正有）【課題】安全コーン設置面に傾斜や高低差があっても自在に架設することができるばかりでなく、吊り輪の向きを気にすることなく、コーン頂部に確実に嵌装することができるコーンバーのジョイント器具を提供する。【解決手段】安全コーンの頂部に嵌め込まれる吊り輪部２と、吊り輪部の基部２ａが回転自在に接合されると共に、コーンバー６の両端部が嵌装可能な有底筒体のスリーブ１とからジョイント器具を構成する。スリーブの内部に貫通する貫通ネジ孔１ａに螺合される押圧ボルト３によりコーンバーの端部を挟持固定する。【選択図】図１
0003225850.tif 000002
【実用新案登録請求の範囲】
【請求項１】
コーンバーの端部に嵌合かつ挟持して固定する手段と、当該固定手段に回動自在に取り付けられた吊り輪からなることを特徴とするコーンバーのジョイント器具。
【請求項２】
固定手段がその長手方向に割り溝が形成された有底筒体のスリーブであり、コーンバー端部を押圧ボルトとともに挟持固定し、スリーブの円心線上に回動自在に取り付けられた吊り輪からなることを特徴とする請求項１記載のコーンバーのジョイント器具。
【請求項３】
固定手段が、その支軸を中心に開閉自在に連結された固定片と可動片及びこれらの端部同士を連結固定するボルト及びロックナットとからなるクランプで、前記固定片に回動自在に取り付けられた吊り輪からなることを特徴とする請求項１記載のコーンバーのジョイント器具。
【考案の詳細な説明】
【技術分野】
【０００１】
本考案は、道路などに並べた複数個の安全コーンの頂部に架設し、人や車両が浸入することを防止するためのバリケードとして使用されるコーンバーのジョイント器具に関するものである。
【背景技術】
【０００２】
道路、建物などの工事現場において車両や歩行者の工事現場への進入防止、誘導のため、あるいは、立ち入りを禁止するなどの目的で複数個の安全コーンを一定間隔で並べ、これら安全コーンの頂部同士をコーンバーでつないでバリケードすることが広く行われている。通常、コーンバーは、硬質の棒体の両端に吊り輪を装着した構造であって、吊り輪を円錐形の安全コーンの頂部に嵌挿することによって架設される（例えば、特許文献１参照。）。
【０００３】
また、直管バーと、この直管バーの両端に連接されたリング状部を有し、このリング状部を安全コーンの上端に嵌合させる一対のコーン取付部とを具備し、直管バーを伸縮自在にしたもの（特許文献２参照。）。長手方向に湾曲した円筒形パイプからなるコーンバー本体と、このコーンバー本体の両端にドーナツ形状の吊り輪部とを備え、円筒形パイプの長手方向の中心線によって形成される平面と吊り輪部のドーナツ面とが略平行とされ、区画の境界が曲線又は円弧状であっても境界近くに沿って架設できるコーンバー（特許文献３参照。）。コーンバー全体において伸縮曲折可能な蛇腹機構を設けたもの（特許文献４参照。）等が提案されている。
【先行技術文献】
【特許文献】
【０００４】
【特許文献１】特開２００１−３３２６号公報
【特許文献２】実用新案公開平２−８９００８号公報
【特許文献３】実用新案登録第３１６１９８８号公報
【特許文献４】実用新案登録第３０８４４８１号公報
【考案の概要】
【考案が解決しようとする課題】
【０００５】
確かに、従来の棒状コーンバーでは、浸入防止する区画の角部（コーナー）が曲線又は円弧状である場合、複数の棒状コーンバーを使用して囲うことになるので、より多くのコーンバーが必要であり、広い設置場所（囲い面積）が必要となる点において、従来技術はこの課題を解消していると言えるが、リング状部あるいは吊り輪部がコーンバーに同一平面を向くように固定されているので、安全コーンに対する設置自由度が低い。すなわち、置かれた安全コーンがすべて水平方向に展開していることが前提とされている。したがって、安全コーンの設置面の傾斜や高低差に配慮したものになっていないという課題があった。
【０００６】
本考案は、上記従来技術の課題に鑑み、安全コーンに対する設置自由度が高く、設置面の傾斜や高低差があっても自在に架設することができるばかりでなく、吊り輪の向きを気にすることなく、コーン頂部に確実に嵌装することができ、また、コーンバー設置後に、安全コーンが不意な外力を受け移動または倒伏しそうになっても、これを規制できるコーンバーのジョイント器具を提供することを目的とする。
【課題を解決するための手段】
【０００７】
上記課題を解決するため、本考案のコーンバーのジョイント器具は、コーンバーの端部に嵌合かつ挟持して固定する手段と、当該固定手段に回動自在に取り付けられた吊り輪からなることを第１の特徴とする。また、固定手段がその長手方向に割り溝が形成された有底筒体のスリーブであり、コーンバー端部を押圧ボルトとともに挟持固定し、スリーブの円心線上に回動自在に取り付けられた吊り輪からなることを第２の特徴とする。さらに、固定手段が支軸を中心に開閉自在に連結された固定片と可動片及びこれらの端部同士を連結固定するボルト及びナットとからなるクランプで、前記固定片に回動自在に取り付けられた吊り輪からなることを第３の特徴とする。
【考案の効果】
【０００８】
本考案によれば、以下の利点がある。
（１）吊り輪部がコーンバーの円心の中心線上に回動自在にされているので、吊り輪の向きを気にすることなく、安全コーン頂部に容易に嵌装することができる。
（２）コーンバー設置後に、安全コーンが不意な外力を受け移動または倒伏しそうになっても、吊り輪が回動することでこれを規制できる。
（３）安全コーンに対する設置自由度が高く、設置面の傾斜や高低差があっても自在に架設することができる。
【図面の簡単な説明】
【０００９】
【図１】本考案に係るジョイント器具の一実施例を示す斜視図である。
【図２】図１に示すジョイント器具を使用して安全コーンにコーンバーを連結した状態を示す斜視図である。
【図３】図１に示すジョイント器具を使用してコーンバーを連結した状態を示す要部断面正面図である。
【図４】本考案に係るジョイント器具の他の実施例を示す斜視図である。
【考案を実施するための形態】
【００１０】
以下、図面に示す実施例に基づいて本考案の実施の形態について説明するが、本考案はこれに限定されて解釈されるものではなく、本考案の要旨を逸脱しない限りにおいて、当業者の知識に基づいて、種々の更新、修正、改良を加え得るものである。
【実施例１】
【００１１】
工事現場や建築現場において、歩行者や車両の進入を禁止するために、保安器具である安全コーン７とそれらをつなぐコーンバー６とから構成されるバリケードが配置される、図１は、本考案に係るコーンバー６のジョイント器具の一実施例を示すものである。
【００１２】
安全コーン７は、その頂部に向かって漸次細くなる円錐形の保安器具であり、通常はABS樹脂等の合成樹脂製である。パイプ状のコーンバー６は隣り合う安全コーン７の間をつないでバリケードを構成する。
【００１３】
コーンバー２は、可撓性のある合成樹脂管であり、一般的に用いられるＰＦ管又はＣＤ管等で形成されている。コーンバー２の長さは、例えば１.５ｍ程度、その外径は４０ｍｍ程度に設定されている。
【００１４】
ジョイント器具は、安全コーン７に嵌め込まれる環状部材である吊り輪部２と、この吊り輪部２の基部２ａが、回転自在に接合されると共に、コーンバー６の両端部が嵌装可能な挟持固定する手段として、その長手方向に割り溝５が形成され、コーンバー６への挿入側端部に鍔部４を形成した有底筒体のスリーブ１で、コーンバー端部をスリーブ１の内部への貫通ネジ孔１aに螺合される押圧ボルト３とともに挟持固定するようにされている。ここで、吊り輪部２の基部２ａにはベアリング等の軸受け手段を介装すると尚よい。
【００１５】
すなわち、本実施例に係るスリーブ１は、クランプの機能を発揮し、その内部にコーンバー６の一端を挿入して挟持し、固定できるようにされている。そして、筒体スリーブ１の表面側からボルト止めされることで、コーンバー６とジョイント器具とが連結固定される。これにより、コーンバー６の円心線上に吊り輪部２が回動自在に取り付けられることになる。尚、吊り輪部２と筒状スリーブ１とは、吊り輪部２がその軸心線Ｓを中心に回動自在に連結されていれば一体形成されたものであってもよいし、個別に形成されたものを接合させたものであってもよい。このように、コーンバー６の両端はジョイント器具により拘束される。  
【００１６】
図２及び図３は、本実施例のジョイント器具を使用して安全コーン７に２本のコーンバー６を連接した状態を示す。つまり、コーンバー６を安全コーン７に架設した状態を示すものである。吊り輪部２の内側は、下方に向かってテーパ状に広がった安全コーン７の頂部側面に係止されて水平方向に延展して架設されている。そして、吊り輪部２がコーンバー６の円心を中心線Ｓ上に回動自在になっているので、吊り輪部２の向きにとくに配慮することなく、コーン頂部に自由かつ容易に嵌装することができる。
【００１７】
また、コーンバー６の設置後に、安全コーン７が強風や衝突などの不意な外力を受け移動または倒伏しそうになっても、吊り輪部２が回動することでこれを規制できる。さらに、安全コーンに対する設置自由度が高く、設置面の傾斜や高低差があっても自在に架設することができる。また、区画の境界が鋭角な場所や湾曲した場所であっても境界近くに沿って最小限のスペースで囲ってバリケードすることができる。
【実施例２】
【００１８】
図４は、本考案に係るジョイント器具の他の実施例を示すもので、挟持固定する手段が、その支軸８aを中心に開閉自在に連結された固定片８と可動片９及びこれらの端部同士を連結固定するボルト１０ａ及びロックナット１０ｂとからなるクランプ１１で、固定片８には吊り輪部２の基部２ａが回動自在に取り付けられている。そして、コーンバー６の端部をクランプ１１で挟み、可動片９の凹所９ａにボルト１０ａを嵌め込んだ状態でロックナット１０ｂを締め付けることでコーンバー６の端部に固定することができる。尚、その他の構成及び作用効果は、実施例１と同様なので省略する。
【符号の説明】
【００１９】
１    筒体スリーブ（挟持固定する手段）
１ａ  貫通ネジ孔
２    吊り輪部
２ａ  吊り輪部の基部
３    押圧ボルト
４    鍔部
５    割り溝
６    コーンバー
７    安全コーン
８    固定片
８ａ  支軸
９    可動片
９ａ  可動片の凹所
１０ａ長ボルト
１０ｂロックナット
１１  クランプ
Ｓ    中心軸線
【図１】
0003225850.tif 000003
【図２】
0003225850.tif 000004
【図３】
0003225850.tif 000005
【図４】
0003225850.tif 000006